(57)【要約】【課題】  電気機器のスイッチ或いは専用のリモコンを直接操作することなく居室に入る前に電気機器の制御を可能とする。【解決手段】  持ち運び可能で電気機器制御信号を赤外線で送出する携帯端末３と、その信号を受けて居室親機２に伝送するために玄関に設けた受信機４とを有し、居室親機２に電気機器１０を制御する制御端子を設けた。制御端子から制御線Ｌ４を延ばして先端に赤外線ＬＥＤを有する送信手段７を配置し、玄関で操作した携帯端末３の赤外線信号を受けて、居室親機２は送信手段７からリモコン信号を出力して電気機器１０を制御操作する。【選択図】  図１
2007235230.tif 000002
【特許請求の範囲】
【請求項１】
玄関に設置されて居住者を呼び出すための玄関子機と、住戸内に設置されて玄関子機からの呼び出しに応答するための居室親機と、持ち運び可能で前記居室親機と通信が可能な携帯端末と、前記携帯端末の送信信号を無線受信して前記居室親機に伝送する無線受信手段とを有し、更に前記居室親機は、赤外線リモコンによる制御が可能な電気機器を制御可能とする制御端子を備え、
前記携帯端末は、前記電気機器を特定して制御する赤外線信号を生成するプログラム、及び生成した赤外線信号を送信するプロトコルを記憶する端末メモリと、電気機器制御信号を生成し送信を制御する端末制御手段を有し、
前記居室親機は、受信した前記電気機器制御信号から制御対象の電気機器を特定し、特定した電気機器に制御端子を介して制御信号を送信制御する送信制御手段を有することを特徴とするインターホン装置。
【請求項２】
玄関に設置されて居住者を呼び出すための玄関子機と、住戸内に設置されて玄関子機からの呼び出しに応答するための居室親機と、持ち運び可能で前記居室親機と通信が可能な携帯端末と、前記携帯端末の送信信号を無線受信して前記居室親機に伝送する無線受信手段とを有し、更に前記居室親機は、赤外線リモコンによる制御が可能な電気機器を制御可能とする制御端子を備え、
前記携帯端末は、前記電気機器を設置した部屋を特定して前記電気機器を制御する赤外線信号を生成するプログラム、及び生成した赤外線信号を送信するプロトコルを記憶する端末メモリと、電気機器制御信号を生成し送信を制御する端末制御手段を有し、
前記居室親機は、受信した前記電気機器制御信号から制御対象の部屋を特定して前記電気機器に制御端子を介して制御信号を送信制御する送信制御手段を有することを特徴とするインターホン装置。
【請求項３】
前記居室親機による制御対象の電気機器或いは部屋の特定は、各電気機器又は各部屋に対して設定したＩＤ情報をヘッダーとして前記電気機器制御信号に設けて成されることを特徴とする請求項１又は２記載のインターホン装置。
【請求項４】
前記プロトコルは前記電気機器のリモコン信号と互換であると共に、前記制御端子に赤外線ＬＥＤを備えた送信手段が接続され、
前記居室親機の前記送信制御手段は、電気機器制御信号を受けて前記赤外線ＬＥＤを点滅制御することで前記電気機器の制御を実施することを特徴とする請求項１乃至３の何れかに記載のインターホン装置。
【請求項５】
前記携帯端末の端末制御手段は、送信する電気機器制御信号に携帯端末固有の端末ＩＤ情報を乗せて送信し、前記居室親機の送信制御手段は、前記端末ＩＤ情報を受けて制御対象の電気機器又は部屋を特定することを特徴とする請求項１乃至４の何れかに記載のインターホン装置。
【請求項６】
前記携帯端末と前記無線受信手段との通信は赤外線通信であり、前記無線受信手段は、前記玄関子機と一体に或いはその近傍の玄関に設置されることを特徴とする請求項１乃至５の何れかに記載のインターホン装置。
【請求項７】
前記居室親機には玄関扉に設置された電気錠が接続され、前記携帯端末の送信する電気機器制御信号には電気錠の解錠信号が含まれることを特徴とする請求項６記載のインターホン装置。
【請求項８】
前記無線受信手段は、前記居室親機或いはその近傍にも設置されることを特徴とする請求項６記載のインターホン装置。
【発明の詳細な説明】
【技術分野】
【０００１】
本発明はインターホン装置に関し、詳しくは無線受信機能を備えて外部から無線制御可能なインターホン装置に関する。
【背景技術】
【０００２】
玄関扉の解錠／施錠操作を容易とするために、玄関扉に電気錠を取り付けてインターホン装置の操作で解錠／施錠操作を可能としたものが普及している。このような構成のインターホン装置において、更に帰宅時の解錠操作を簡単にするために、居住者が携行するワイヤレス送信機を使用して無線操作により電気錠を解錠操作できるようにしたインターホン装置がある（例えば、特許文献１参照）。
【特許文献１】特開平５−２３６５５３号公報
【発明の開示】
【発明が解決しようとする課題】
【０００３】
上記ワイヤレス送信機を使用する構成は、解錠操作を容易に行うことができるため、例えば荷物を持った居住者が帰宅した際、容易に解錠操作を行うことができる。しかしながら、玄関ドアを開ける前に住戸内の電気機器を制御することはできないので、例えば室内のエアコンを早く作動させたい場合は、玄関を開けてから、一旦中に入りエアコンのスイッチの場所まで赴いて或いはリモコンを手に取り操作する必要があった。
そこで、本発明はこのような問題点に鑑み、電気機器のスイッチ或いは専用のリモコンを直接操作することなく居室に入る前に電気機器の制御を可能とすることを目的とする。
【課題を解決するための手段】
【０００４】
上記課題を解決する為に、請求項１の発明は、玄関に設置されて居住者を呼び出すための玄関子機と、住戸内に設置されて玄関子機からの呼び出しに応答するための居室親機と、持ち運び可能で居室親機と通信が可能な携帯端末と、携帯端末の送信信号を無線受信して居室親機に伝送する無線受信手段とを有し、更に居室親機は、赤外線リモコンによる制御が可能な電気機器を制御可能とする制御端子を備え、携帯端末は、電気機器を特定して制御する赤外線信号を生成するプログラム、及び生成した赤外線信号を送信するプロトコルを記憶する端末メモリと、電気機器制御信号を生成し送信を制御する端末制御手段を有し、居室親機は、受信した電気機器制御信号から制御対象の電気機器を特定し、特定した電気機器に制御端子を介して制御信号を送信制御する送信制御手段を有することを特徴とする。
この構成により、例えば玄関等の離れた場所からの電気機器の制御が可能となるので、制御したい電気機器まで赴いてリモコンを操作する必要が無くなる。例えば帰宅した際に複数の電気機器をワンタッチ操作で作動及び動作制御することが可能となる。
【０００５】
請求項２の発明は、玄関に設置されて居住者を呼び出すための玄関子機と、住戸内に設置されて玄関子機からの呼び出しに応答するための居室親機と、持ち運び可能で居室親機と通信が可能な携帯端末と、携帯端末の送信信号を無線受信して居室親機に伝送する無線受信手段とを有し、更に居室親機は、赤外線リモコンによる制御が可能な電気機器を制御可能とする制御端子を備え、携帯端末は、電気機器を設置した部屋を特定して電気機器を制御する赤外線信号を生成するプログラム、及び生成した赤外線信号を送信するプロトコルを記憶する端末メモリと、電気機器制御信号を生成し送信を制御する端末制御手段を有し、居室親機は、受信した電気機器制御信号から制御対象の部屋を特定して電気機器に制御端子を介して制御信号を送信制御する送信制御手段を有することを特徴とする。
この構成により、例えば玄関等の離れた場所からの電気機器の制御が可能となるので、制御したい電気機器まで赴いてリモコンを操作する必要が無くなる。例えば帰宅した際に複数の電気機器をワンタッチ操作で作動及び動作制御することが可能となる。
【０００６】
請求項３の発明は、請求項１又は２に記載の発明において、居室親機による制御対象の電気機器或いは部屋の特定は、各電気機器又は各部屋に対して設定したＩＤ情報をヘッダーとして電気機器制御信号に設けて成されることを特徴とする。
この構成により、制御対象の電気機器或いは部屋を容易に特定できる。
【０００７】
請求項４の発明は、請求項１乃至３の何れかに記載の発明において、プロトコルは電気機器のリモコン信号と互換であると共に、制御端子に赤外線ＬＥＤを備えた送信手段が接続され、居室親機の送信制御手段は、電気機器制御信号を受けて赤外線ＬＥＤを点滅制御することで電気機器の制御を実施することを特徴とする。
この構成により、電気機器専用のリモコン操作と同様に電気機器の制御ができ、電気機器に別途制御線やネットワークアダプタ等を接続する必要がない。また、部屋毎に制御信号を送信する構成の場合、１個の赤外線ＬＥＤの点滅制御でその部屋の複数の電気機器の制御が可能となる。
【０００８】
請求項５の発明は、請求項１乃至４の何れかに記載の発明において、携帯端末の端末制御手段は、送信する電気機器制御信号に携帯端末固有の端末ＩＤ情報を乗せて送信し、居室親機の送信制御手段は、端末ＩＤ情報を受けて制御対象の電気機器又は部屋を特定することを特徴とする。
この構成により、携帯端末別に制御する電気機器を指定でき、例えば主婦が使用する携帯端末と、夫が使用する携帯端末とで制御対象を区分けでき、携帯端末を所持する人に合わせて設定し直す必要が無くなり便利であるし、設定間違いを防ぐことができる。
【０００９】
請求項６の発明は、請求項１乃至５の何れかに記載の発明において、携帯端末と無線受信手段との通信は赤外線通信であり、無線受信手段は、玄関子機と一体に或いはその近傍の玄関に設置されることを特徴とする。
この構成により、玄関先で電気機器の制御ができ、住戸内に入って個々の電気機器のスイッチを入れる等の煩わしい操作をする必要がなくなる。また、赤外線通信を用いることで、送信回路及び受信回路を簡易な構成にできる。
【００１０】
請求項７の発明は、請求項６に記載の発明において、居室親機には玄関扉に設置された電気錠が接続され、携帯端末の送信する電気機器制御信号には電気錠の解錠信号が含まれることを特徴とする。
この構成により、携帯端末の１回の操作で、電気機器の制御と同時に解錠操作も実施することが可能となる。
【００１１】
請求項８の発明は、請求項６に記載の発明において、無線受信手段は、居室親機或いはその近傍にも設置されることを特徴とする。
この構成により、居室内においても携帯端末を使用して電気機器の制御が可能であり、便利である。
【発明の効果】
【００１２】
本発明によれば、無線受信手段を玄関に設置することで、室内に入ることなく玄関において電気機器の制御が可能となり、制御したい電気機器まで赴いてリモコンを操作する必要が無くなる。
【発明を実施するための最良の形態】
【００１３】
以下、本発明を具体化した実施の形態を、図面に基づいて詳細に説明する。図１は本発明に係るインターホン装置の一例を示す構成図である。図１において、１は玄関に設置されて居住者を呼び出すためのカメラ付玄関子機、２は住戸内に設置されて呼び出しに応答するためのモニタ付居室親機、３は持ち運びができ居室親機２に電気機器１０の制御信号を無線送信する携帯端末、４は携帯端末３の発する制御信号を受信する受信機（無線受信手段）、５は居室親機２により制御可能な電気錠６を備えた玄関扉、７は電気機器１０を制御するための赤外線信号を出力する送信手段（第１送信手段７ａ，第２送信手段７ｂ）である。
尚、制御対象の２台の電気機器１０（１０ａ、１０ｂ）は、エアコン、照明、更には浴室の給湯器等の赤外線リモコン操作が可能な機器であり、ここでは一方の電気機器１０ａを居室Ａのエアコン、他方の電気機器１０ｂを居室Ｂのエアコンとして示している。
【００１４】
玄関子機１、受信機４は夫々伝送線Ｌ１，Ｌ２を介して居室親機２に接続され、電気錠６、送信手段７は居室親機２の制御端子（図示せず）に制御線Ｌ３，Ｌ４を介して接続されている。受信機４は、携帯端末３から送信される赤外線信号を受信する赤外線受光部（赤外線ポート）４ａを備え、玄関に設置された玄関子機１の近くに設置され、玄関先において携帯端末３が出力する赤外線信号を受信可能となっている。
【００１５】
携帯端末３は、図２の回路ブロック図に示すように構成されている。但し、携帯電話機能を有した構成を示している。図２において、１２は公衆電話網に接続するための無線送受信部、１３は赤外線ＬＥＤを備えて赤外線信号による送受信を行う赤外線送受信部、１４はプログラムや設定情報を記憶する端末メモリ、１５はマイク及びスピーカを備えた通話部、１６は設定情報や受信情報を表示する表示部、１７は携帯端末３を制御する端末制御手段である端末ＣＰＵ、１８はテンキー等から成る操作部である。そして、端末メモリ１４には、居室親機２が受信可能な電気機器制御信号を生成するプログラム、生成した赤外線信号を送信するためのプロトコルが記憶されている。
【００１６】
電気機器１０を制御する赤外線制御信号は、例えばインターネットを利用して電気機器メーカーのＷＥＢサイトにアクセスして入手することができ、入手した赤外線制御信号情報を基に予め記憶しているプログラムにより必要な情報を加えて電気機器制御信号を生成する。そして、電気機器制御信号の送信は、赤外線通信プロトコル（例えば、ＩｒＤＡプロトコル）に従い送信される。
受信機４は、送信された電気機器制御信号を赤外線受光部４ａで受信し、電気信号に変換して居室親機２に伝送する。
【００１７】
図３は居室親機２の回路ブロック図を示している。１９は玄関子機伝送線Ｌ１、受信機伝送線Ｌ２を接続する第１ＩＦ（インターフェイス）、２０は電気錠制御線Ｌ３、２本の送信手段制御線Ｌ４を接続する第２ＩＦ（インターフェイス）、２１は玄関子機１から伝送されてきたカメラ撮像信号を復調する復調回路、２２はカメラ撮像映像を出画するモニタ、２３は各種設定操作をする操作部、２４は各種設定を記憶したり送信された電気機器制御信号情報を記憶する親機メモリ、２５は玄関子機１との通話を制御する通話部、２６はマイク、２７はスピーカ、２８は受信機４と同様の機能を有する受光部、２９は居室親機２を制御すると共に送信制御手段でもある親機ＣＰＵである。
【００１８】
以下、このインターホン装置の動作を説明する。但し、玄関子機１からの呼び出し、及びそれに応じて居室親機２との間の通話は従来と同様であり、本発明の要部ではないので省略し、携帯端末３の操作による居室親機２の制御動作を説明する。
【００１９】
先ず、操作対象の電気機器１０毎（制御端子に接続された制御線Ｌ４毎）にＩＤを設定し、携帯端末３及び居室親機２に記憶させる。そして、携帯端末３を操作して、操作したい電気機器１０のリモコン操作情報（赤外線リモコンの操作信号情報）を入手する。この情報の入手は、インターネットを利用して入手することができるし、赤外線送受信部１３から直接リモコンの赤外線信号を入手することも可能である。
入手した情報は、内蔵されているプログラムにより、設定された電気機器毎のＩＤ情報等がヘッダーとして自動的に付加されて電気機器制御信号として記憶される。
【００２０】
こうして電気機器制御信号が記憶された携帯端末３を、玄関に設置された受信機４に近づけて送出操作することで、受信機４はその赤外線信号を受信して居室親機２に電気信号に変換して伝送する。このとき、複数の電気機器１０を制御する場合は１回の操作でシリアルに制御信号が送出される。
居室親機２の親機ＣＰＵ２９は、伝送されてきた信号からＩＤを読み取り、設定されたＩＤ情報に従って信号の送出先を選択する。そして、伝送されてきた電気機器制御信号からリモコン信号を取り出して、選択した電気機器１０を制御する制御線Ｌ４に出力する。この信号により制御線Ｌ４の先に設けられた送信手段７の赤外線ＬＥＤが点滅動作して赤外線信号を送出し、この信号を電気機器１０の赤外線受光部が検知することで、リモコン操作と同様に受信信号内容に従い制御動作を開始する。
【００２１】
また、屋内に入ってからも居室親機２に設けられた受光部２８を利用して携帯端末３により電気機器１０を制御できる。受光部２８が受信した赤外線信号から成る電気機器制御信号は、上記同様に親機ＣＰＵ２９でＩＤが読み取られ、選択された送信手段７がリモコン信号を発して電気機器１０が制御される。
【００２２】
尚、携帯端末３が送信する信号は、電気機器制御信号とシリアルに電気錠解錠信号を送出可能となっている。この信号を受けた居室親機２は、電気錠６に対して解錠信号を送出し、電気錠６が解錠動作する。
【００２３】
このように、赤外線ＬＥＤを制御してリモコン信号と互換な信号を送出するので、電気機器専用のリモコン操作と同様に電気機器の制御ができ、電気機器に別途制御線やネットワークアダプタ等を接続する必要がない。そのため、制御したい電気機器のリモコンを操作することなく玄関から電気機器の制御が可能となり、例えば帰宅した際に複数の電気機器をワンタッチ操作で作動及び動作制御することが可能となる。
また、制御対象の電気機器ＩＤを合わせて送信するので、制御対象の電気機器を容易に特定でき、電気機器の有る部屋まで入って個々の電気機器のスイッチを入れる等の煩わしい操作をする必要がなくなる。
更に、携帯端末と受信機との通信に赤外線通信を用いるので、送信回路及び受信回路を簡易な構成にできるし、微弱な信号であるため屋外で使用しても近隣の電気機器に影響を及ぼすことがない。
また、携帯端末の１回の操作で、電気機器の制御と同時に解錠操作も実施できるので、帰宅した居住者が荷物等を抱えていても、容易に解錠操作できるし、合わせて電気機器の操作もできる。
また、居室親機にも受光部を有するので、居室内で居室親機に向けて携帯端末を操作しても電気機器を操作できるので、例えば帰宅時に点けた玄関の照明を居室内で消すことができるし、他の部屋の電気機器の制御も可能となり便利である。
【００２４】
次に、携帯端末３が複数の場合を説明する。この場合、個々の携帯端末３に端末を識別するための端末ＩＤが付与され、電気機器制御信号には、この端末ＩＤが電気機器ＩＤと共に付加される。そして、居室親機２もこの端末ＩＤが登録され、更に端末ＩＤ毎の制御可能電気機器一覧が親機メモリ２４に記憶される。
【００２５】
図４はこの一覧を示し、携帯端末３が第１、第２、第３の３台の場合を示している。夫々異なるメインＩＤを有し、更にサブＩＤが付加されて端末ＩＤを構成している。サブＩＤにより操作可能な電気機器１０を選択指定でき、例えば第１携帯端末３の場合、サブＩＤ１を設定すれば玄関の照明オン操作ができるし、サブＩＤ２を設定すれば居室Ａのエアコンをオン操作可能となっている。この選択は、例えば操作部１８の操作により行われる。
【００２６】
このような設定において、複数の居住者のうち居住者Ｍ１が第１携帯端末、他の居住者Ｍ２が第２携帯端末、更に他の居住者Ｍ３が第３携帯端末を携行した場合、次のように動作する。
居住者Ｍ１が帰宅し、玄関に設置されている受信機４に第１携帯端末３を近づけて制御信号の送信操作をすることで、居室親機２に解錠信号の送信が行われて電気錠６が解錠されると共に、居住者Ｍ１が設定していた居室Ａのエアコンの電源オン信号の送信が行われる（サブＩＤ＝２に設定されている場合）。居室親機２はこの電気機器制御信号を受けて、居室Ａのエアコンの制御信号であると判断して、対応する送信手段７に対してその信号を送信する。こうしてエアコンのスイッチがオンされる。尚、温度設定情報を含んでいる場合は、温度制御が合わせて成される。
【００２７】
また、居住者Ｍ２が帰宅した場合には、受信機４に第２携帯端末３を近づけて制御信号の送信操作をすることで、居室親機２に解錠信号の送信が行われて電気錠６が解錠されると共に、給湯器の電源オン信号の送信が行われる（サブＩＤ＝２に設定されている場合）。この制御信号を受信した居室親機２は、給湯器に対応する送信手段７に対して赤外線信号を送信し、給湯器のスイッチがオンされる。更に、居住者Ｍ３が帰宅した際の制御動作も同様であり、例えば居室Ｂのエアコンのスイッチがオンされる。尚、この制御例では、携帯端末３が解錠信号を合わせて送信しているが、設定により解錠信号の無い電気機器制御信号の送信を容易に実施できる。
【００２８】
このように、その携帯端末固有の端末ＩＤと解錠信号および各電気機器１０の設定情報が、赤外線通信により居室親機２に転送され、電気錠６の解錠および各電気機器１０の設定情報が反映され、例えば主婦が使用する携帯端末３と、夫が使用する携帯端末３とで制御対象を区分けでき、携帯する人に合わせて設定し直す必要が無くなり便利であるし、設定間違いを防ぐことができる。また、制御機器が区分けされてもサブＩＤにより共通の電気機器を制御できるので共用することもでき便利である。
【００２９】
尚、上記実施形態では、電気機器１０毎に送信手段７を対応させているが、居室毎に送信手段７を対応させても良い。この場合、送信手段７は、個々の部屋に１台ずつ配置され、特定の電気機器１０に対して赤外線信号を送出する設定ではなく、部屋全体に対して無指向で赤外線信号を送出するよう構成される。そして、携帯端末３のヘッダーに付されるＩＤは居室ＩＤとなり、居室親機２は選択された居室に対して伝送されてきた制御信号を送出する。この信号により電気機器１０は自身の制御信号である場合は、信号に従い制御動作を開始する。こうして、個々の居室に１台の送信手段を設置するだけでも、選択した居室内の複数の電気機器の制御が可能となる。
【００３０】
また、玄関に設置される受信機４は、玄関子機１と一体に形成しても何ら差し支えないし、逆に居室親機２に受光部２８が組み込まれているが、受信機４と同様に別体としても良い。
また、携帯端末３の受信機４への送信は赤外線を使用しているが、出力の弱い無線信号で有れば使用でき、例えばブルートゥースを使用しても良い。
更に、電気機器１０の制御を専用のリモコンと同様に赤外線を使用して制御しているが、居室親機２から直接制御線を電気機器１０に接続して制御しても良い。この場合、送信手段が必要無くなり、赤外線ＬＥＤを発光させるための回路が必要無くなる。
【図面の簡単な説明】
【００３１】
【図１】本発明に係るインターホン装置の実施形態の一例を示す構成図である。
【図２】携帯端末の回路ブロック図である。
【図３】居室親機の回路ブロック図である。
【図４】携帯端末と制御可能電気機器一覧を示す表図である。
【符号の説明】
【００３２】
１・・玄関子機、２・・居室親機、３・・携帯端末、４・・受信機（無線受信手段）、６・・電気錠、７・・送信手段、１０・・電気機器、１４・・端末メモリ、１７・・端末ＣＰＵ（端末制御手段）、２４・・親機メモリ、２８・・受光部（無線受信手段）、２９・・親機ＣＰＵ（送信制御手段）、Ｌ４・・制御線。
【図１】
2007235230.tif 000003
【図２】
2007235230.tif 000004
【図３】
2007235230.tif 000005
【図４】
2007235230.tif 000006